(57)【特許請求の範囲】
【請求項１】
車室内へ空気を送風する送風手段（３２ａ）と、
前記送風手段（３２ａ）から送風された送風空気の空気通路を形成するケーシング（３１）と、
前記ケーシング（３１）の内部に配置され、冷凍サイクル（１０）における冷媒を圧縮する圧縮機構（１１ａ）から吐出された吐出冷媒と前記送風空気とを熱交換させる第１熱交換部（１３１）、および作動時に発熱を伴う外部熱源を温度調整する熱媒体と前記送風空気とを熱交換させる第２熱交換部（１３２）を有する複合型熱交換器（１３）と、
前記複合型熱交換器（１３）へ送風する前記送風空気の送風量を調整する送風量調整手段（３５、３２ｂ）と、
前記圧縮機構（１１ａ）の冷媒吐出能力を変更する吐出能力変更手段（１１ｂ）と、
前記熱媒体を圧送する熱媒体圧送手段（４１ａ）と、
前記第２熱交換部（１３２）に流入する前記熱媒体の流入量を調整する熱媒体流量調整手段（４１ｂ、４２）と、を備え、
前記複合型熱交換器（１３）は、前記第１熱交換部（１３１）を流れる前記吐出冷媒と前記第２熱交換部（１３２）を流れる前記熱媒体との熱移動が可能なように、前記第１熱交換部（１３１）および前記第２熱交換部（１３２）が一体化され、
前記送風空気の送風量、前記圧縮機構（１１ａ）の冷媒吐出能力、および前記熱媒体の流入量のうち、少なくとも１つを調整することで、前記複合型熱交換器（１３）における前記送風空気、前記吐出冷媒、および前記熱媒体の間の熱交換量が変更されるようになっており、
前記吐出能力変更手段（１１ｂ）は、前記熱媒体の温度が予め定めた第３熱媒体基準温度以下となった際に、前記複合型熱交換器（１３）を通過した吹出空気の温度が予め決定された目標温度に近づくように前記圧縮機構（１１ｂ）の冷媒吐出能力を変更し、
前記熱媒体流量調整手段（４１ｂ、４２）は、前記熱媒体の温度が前記第３熱媒体基準温度以下となった際に、前記熱媒体の流入量を減少させることを特徴とする車両用空調装置。
【請求項２】
車室内へ空気を送風する送風手段（３２ａ）と、
前記送風手段（３２ａ）から送風された送風空気の空気通路を形成するケーシング（３１）と、
前記ケーシング（３１）の内部に配置され、冷凍サイクル（１０）における冷媒を圧縮する圧縮機構（１１ａ）から吐出された吐出冷媒と前記送風空気とを熱交換させる第１熱交換部（１３１）、および作動時に発熱を伴う外部熱源を温度調整する熱媒体と前記送風空気とを熱交換させる第２熱交換部（１３２）を有する複合型熱交換器（１３）と、
前記複合型熱交換器（１３）へ送風する前記送風空気の送風量を調整する送風量調整手段（３５、３２ｂ）と、
前記圧縮機構（１１ａ）の冷媒吐出能力を変更する吐出能力変更手段（１１ｂ）と、
前記熱媒体を圧送する熱媒体圧送手段（４１ａ）と、
前記第２熱交換部（１３２）に流入する前記熱媒体の流入量を調整する熱媒体流量調整手段（４１ｂ、４２）と、を備え、
前記複合型熱交換器（１３）は、前記第１熱交換部（１３１）を流れる前記吐出冷媒と前記第２熱交換部（１３２）を流れる前記熱媒体との熱移動が可能なように、前記第１熱交換部（１３１）および前記第２熱交換部（１３２）が一体化され、
前記送風空気の送風量、前記圧縮機構（１１ａ）の冷媒吐出能力、および前記熱媒体の流入量のうち、少なくとも１つを調整することで、前記複合型熱交換器（１３）における前記送風空気、前記吐出冷媒、および前記熱媒体の間の熱交換量が変更されるようになっており、
前記熱媒体流量調整手段（４１ｂ、４２）は、前記吐出能力変更手段（１３ｂ）による前記圧縮機構（１３ａ）の冷媒吐出能力の調整が制限される際に、前記熱媒体の流入量を増加させることを特徴とする車両用空調装置。
【請求項３】
前記第１熱交換部（１３１）は、前記吐出冷媒が流れる複数の冷媒用チューブ（１３１ａ）を有し、
前記第２熱交換部（１３２）は、前記熱媒体が流れる複数の熱媒体用チューブ（１３２ａ）を有し、
前記冷媒用チューブ（１３１ａ）の外表面および前記熱媒体用チューブ（１３２ａ）の外表面には、前記送風空気が流れる送風空気通路（１３３）が形成され、
前記複数の冷媒用チューブ（１３１ａ）および前記複数の熱媒体用チューブ（１３２ａ）の一方のうち少なくとも１つは、他方の間に配置され、
前記冷媒用チューブ（１３１ａ）および前記熱媒体用チューブ（１３２ａ）は、互いに離間して配置され、前記冷媒用チューブ（１３１ａ）および前記熱媒体用チューブ（１３２ａ）の間に、前記送風空気通路（１３３）が形成されていることを特徴とする請求項１または２に記載の車両用空調装置。
【請求項４】
前記冷媒用チューブ（１３１ａ）の外表面および前記熱媒体用チューブ（１３２ａ）の外表面には、双方の熱交換部（１３１、１３２）における熱交換を促進すると共に、前記冷媒用チューブ（１３１ａ）を流通する前記吐出冷媒と前記熱媒体用チューブ（１３２ａ）を流通する前記熱媒体との間の熱移動を可能とするアウターフィン（１３４）が接合されていることを特徴とする請求項３に記載の車両用空調装置。
【請求項５】
前記送風量調整手段（３５、３２ｂ）は、前記熱媒体の温度が予め定めた第１熱媒体基準温度以下となった際に、前記送風空気の送風量を減少させることを特徴とする請求項１ないし４のいずれか１つに記載の車両用空調装置。
【請求項６】
前記送風量調整手段（３５、３２ｂ）は、
前記外部熱源が作動を開始してから予め定めた基準時間以内に、前記熱媒体の温度が前記第１熱媒体基準温度以下となった際に、前記送風空気の送風量を減少させ、
前記熱媒体の温度が前記第１熱媒体基準温度より高い温度となるまで上昇した際に、前記送風空気の送風量を増加させることを特徴とする請求項５に記載の車両用空調装置。     
【請求項７】
前記送風量調整手段（３５、３２ｂ）は、
前記外部熱源が作動を開始してから予め定めた基準時間以内に、前記熱媒体の温度が予め定めた第２熱媒体基準温度以下となった際に、前記送風空気の送風量を増加させ、
前記複合型熱交換器（１３）を通過した吹出空気の温度が予め定められた吹出基準温度より高い温度にまで上昇した際に、前記送風空気の送風量を減少させることを特徴とする請求項１ないし４のいずれか１つに記載の車両用空調装置。
【請求項８】
前記熱媒体流量調整手段（４１ｂ）は、前記送風量調整手段（３５、３２ｂ）にて前記熱媒体の温度に応じて前記送風空気の送風量を減少させる際に、前記熱媒体の流入量を増加させることを特徴とする請求項５ないし７のいずれか１つに記載の車両用空調装置。     
【請求項９】
前記ケーシング（３１）の内部には、前記送風手段（３２ａ）から送風される送風空気を前記複合型熱交換器（１３）を迂回して流すバイパス通路（３４）が形成されており、
前記送風量調整手段は、前記複合型熱交換器（１３）へ流す前記送風空気と前記バイパス通路（３４）へ流す前記送風空気の風量割合を変更するエアミックスドア（３５）であることを特徴とする請求項１ないし８のいずれか１つに記載の車両用空調装置。
【請求項１０】
前記吐出能力変更手段（１１ｂ）は、前記熱媒体の温度が前記送風手段（３２ａ）により前記複合型熱交換器（１３）に向けて送風される送風空気の温度以上となった際に、前記複合型熱交換器（１３）を通過した吹出空気の温度が予め決定された目標温度に近づくように前記圧縮機構（１１ａ）の冷媒吐出能力を変更することを特徴とする請求項１ないし９のいずれか１つに記載の車両用空調装置。
【請求項１１】
前記外部熱源は、充電時に発熱する車載バッテリであって、
前記熱媒体流量調整手段（４１ｂ、４２）は、前記車載バッテリが充電されている際に、前記熱媒体の流入量を増加させることを特徴とする請求項１ないし１０のいずれか１つに記載の車両用空調装置。
【請求項１２】
前記第１熱交換部（１３１）は、前記冷媒用チューブ（１３１ａ）を流通する冷媒の集合または分配を行う冷媒用タンク部（１３１ｂ）を有し、
前記第２熱交換部（１３２）は、前記熱媒体用チューブ（１３２ａ）を流通する熱媒体の集合または分配を行う熱媒体用タンク部（１３２ｂ）を有し、
前記冷媒用タンク部（１３１ｂ）は、前記冷媒用チューブ（１３１ａ）および前記熱媒体用チューブ（１３２ａ）の長手方向の一端側において前記冷媒用チューブ（１３１ａ）および前記熱媒体用チューブ（１３２ａ）の双方が固定され、
前記熱媒体用タンク部（１３２ｂ）は、前記冷媒用チューブ（１３１ａ）および前記熱媒体用チューブ（１３２ａ）の長手方向の他端側において前記冷媒用チューブ（１３１ａ）および前記熱媒体用チューブ（１３２ａ）の双方が固定されていることを特徴とする請求項３または４に記載の車両用空調装置。
【請求項１３】
前記冷媒用チューブ（１３１ａ）および前記熱媒体用チューブ（１３２ａ）は、前記送風空気通路（１３３）を流通する前記送風空気の流れ方向に複数列配置されていることを特徴とする請求項１２に記載の車両用空調装置。
【請求項１４】
前記冷媒用タンク部（１３１ｂ）には、その長手方向の一端側に冷媒を導入する冷媒導入部（１３ａ）および冷媒を導出する冷媒導出部（１３ｂ）が接続され、
前記熱媒体用タンク部（１３２ｂ）には、その長手方向の一端側に熱媒体を導入する熱媒体導入部（１３ｃ）および熱媒体を導出する熱媒体導出部（１３ｄ）が接続されていることを特徴する請求項１２または１３に記載の車両用空調装置。
【発明の詳細な説明】
【技術分野】
【０００１】
本発明は、複数種の流体間で熱交換可能に構成された複合型熱交換器を備える車両用空調装置に関する。
【背景技術】
【０００２】
従来、複数種の流体間で熱交換可能に構成された複合型熱交換器を備える車両用空調装置が開示されている（例えば、特許文献１、２参照）。
【０００３】
具体的には、特許文献１には、圧縮機から吐出された吐出冷媒（高圧冷媒）を車室内に送風する送風空気（車室内送風空気）と熱交換させて車室内送風空気を加熱する暖房用熱交換部、および燃焼式温水ヒータにて加熱されたブライン（熱媒体）と車室内送風空気とを熱交換させて送風空気を加熱するヒータコア部が一体的に構成された複合型熱交換器を備える車両用空調装置が開示されている。
【０００４】
また、特許文献２には、特許文献１と同様の暖房用熱交換部、およびエンジンを冷却するエンジン冷却水（熱媒体）と車室内送風空気とを熱交換させて車室内送風空気を加熱するヒータコア部が一体的に構成された複合型熱交換器を備える車両用空調装置が開示されている。
【先行技術文献】
【特許文献】
【０００５】
【特許文献１】特許第３２７５４１４号公報
【特許文献２】特許第４３１１１１５号公報
【発明の概要】
【発明が解決しようとする課題】
【０００６】
しかし、特許文献１、２のいずれも、車室内送風空気よりも高い温度の高圧冷媒や熱媒体が有する熱量を複合型熱交換器にて放熱させて、車室内送風空気を加熱する車両用空調装置を開示しているにすぎない。つまり、特許文献１、２に記載の車両用空調装置では、複合型熱交換器を単に高圧冷媒や熱媒体が有する熱量により車室内送風空気を加熱する手段として機能させるだけで、高圧冷媒と熱媒体とを積極的に熱交換させるための手段として機能させておらず、各流体が有する熱量を相互に有効活用することができなかった。
【０００７】
本発明は上記点に鑑みて、複合型熱交換器にて複数種の流体の適切な熱交換を実現することで、複数種の流体それぞれの有する熱量を有効に活用可能な車両用空調装置を提供することを目的とする。
【課題を解決するための手段】
【０００８】
上記目的を達成するため、請求項１に記載の発明では、車室内へ空気を送風する送風手段（３２ａ）と、送風手段（３２ａ）から送風された送風空気の空気通路を形成するケーシング（３１）と、ケーシング（３１）の内部に配置され、冷凍サイクル（１０）における冷媒を圧縮する圧縮機構（１１ａ）から吐出された吐出冷媒と送風空気とを熱交換させる第１熱交換部（１３１）、および作動時に発熱を伴う外部熱源を温度調整する熱媒体と送風空気とを熱交換させる第２熱交換部（１３２）を有する複合型熱交換器（１３）と、複合型熱交換器（１３）へ送風する送風空気の送風量を調整する送風量調整手段（３５、３２ｂ）と、圧縮機構（１１ａ）の冷媒吐出能力を変更する吐出能力変更手段（１１ｂ）と、熱媒体を圧送する熱媒体圧送手段（４１ａ）と、第２熱交換部（１３２）に流入する熱媒体の流入量を調整する熱媒体流量調整手段（４１ｂ、４２）と、を備え、複合型熱交換器（１３）は、第１熱交換部（１３１）を流れる吐出冷媒と第２熱交換部（１３２）を流れる熱媒体との熱移動が可能なように、第１熱交換部（１３１）および第２熱交換部（１３２）が一体化され、送風空気の送風量、圧縮機構（１１ａ）の冷媒吐出能力、および熱媒体の流入量のうち、少なくとも１つを調整することで、複合型熱交換器（１３）における送風空気、吐出冷媒、および熱媒体の間の熱交換量が変更されることを特徴とする。
【０００９】
これによれば、複合型熱交換器（１３）における送風空気と圧縮機構（１１ａ）からの吐出冷媒との熱交換量、および送風空気と熱媒体との熱交換量に加えて、吐出冷媒と熱媒体との熱交換量を調整することができ、複数種の流体間の適切な熱交換を実現することができるので、複数種の流体それぞれの有する熱量を有効に活用することが可能となる。
さらに、請求項１に記載の発明では、吐出能力変更手段（１１ｂ）は、熱媒体の温度が予め定めた第３熱媒体基準温度以下となった際に、複合型熱交換器（１３）を通過した吹出空気の温度が予め決定された目標温度に近づくように圧縮機構（１１ｂ）の冷媒吐出能力を変更し、
熱媒体流量調整手段（４１ｂ、４２）は、熱媒体の温度が第３熱媒体基準温度以下となった際に、熱媒体の流入量を減少させることを特徴とする。
これによれば、複合型熱交換器（１３）における吐出冷媒と送風空気との熱交換を積極的に促進させることができ、車室内へ送風する空気を所望の温度に調整することが可能となる。
請求項２に記載の発明では、車室内へ空気を送風する送風手段（３２ａ）と、送風手段（３２ａ）から送風された送風空気の空気通路を形成するケーシング（３１）と、ケーシング（３１）の内部に配置され、冷凍サイクル（１０）における冷媒を圧縮する圧縮機構（１１ａ）から吐出された吐出冷媒と送風空気とを熱交換させる第１熱交換部（１３１）、および作動時に発熱を伴う外部熱源を温度調整する熱媒体と送風空気とを熱交換させる第２熱交換部（１３２）を有する複合型熱交換器（１３）と、複合型熱交換器（１３）へ送風する送風空気の送風量を調整する送風量調整手段（３５、３２ｂ）と、圧縮機構（１１ａ）の冷媒吐出能力を変更する吐出能力変更手段（１１ｂ）と、熱媒体を圧送する熱媒体圧送手段（４１ａ）と、第２熱交換部（１３２）に流入する熱媒体の流入量を調整する熱媒体流量調整手段（４１ｂ、４２）と、を備え、
複合型熱交換器（１３）は、第１熱交換部（１３１）を流れる吐出冷媒と第２熱交換部（１３２）を流れる熱媒体との熱移動が可能なように、第１熱交換部（１３１）および第２熱交換部（１３２）が一体化され、
送風空気の送風量、圧縮機構（１１ａ）の冷媒吐出能力、および熱媒体の流入量のうち、少なくとも１つを調整することで、複合型熱交換器（１３）における送風空気、吐出冷媒、および熱媒体の間の熱交換量が変更されるようになっており、
熱媒体流量調整手段（４１ｂ、４２）は、吐出能力変更手段（１３ｂ）による圧縮機構（１３ａ）の冷媒吐出能力の調整が制限される際に、熱媒体の流入量を増加させることを特徴とする。
これによれば、請求項１に記載の発明と同様に、複合型熱交換器（１３）における送風空気と圧縮機構（１１ａ）からの吐出冷媒との熱交換量、および送風空気と熱媒体との熱交換量に加えて、吐出冷媒と熱媒体との熱交換量を調整することができ、複数種の流体間の適切な熱交換を実現することができるので、複数種の流体それぞれの有する熱量を有効に活用することが可能となる。
さらに、請求項２に記載の発明では、吐出能力変更手段（１３ｂ）による圧縮機構（１３ａ）の冷媒吐出能力の調整が制限される際に、第２熱交換部（１３２）に流入する熱媒体の流入量を熱媒体流量調整手段（４１ｂ、４２）によって増加させるので、冷媒吐出能力の調整が制限される際に複合型熱交換器（１３）における熱媒体と送風空気との熱交換を積極的に促進させることができ、車室内へ送風する空気を温度調整することができる。
つまり、吐出冷媒の有する熱量にて送風空気を充分に加熱できない場合では、熱媒体の有する熱を車室内へ送風する送風空気に放熱することで、熱媒体の有する熱を有効に活用することができる。
【００１０】
また、請求項３に記載の発明では、請求項１または２に記載の車両用空調装置において、第１熱交換部（１３１）は、吐出冷媒が流れる複数の冷媒用チューブ（１３１ａ）を有し、第２熱交換部（１３２）は、熱媒体が流れる複数の熱媒体用チューブ（１３２ａ）を有し、冷媒用チューブ（１３１ａ）の外表面および熱媒体用チューブ（１３２ａ）の外表面には、送風空気が流れる送風空気通路（１３３）が形成され、複数の冷媒用チューブ（１３１ａ）および複数の熱媒体用チューブ（１３２ａ）の一方のうち少なくとも１つは、他方の間に配置され、冷媒用チューブ（１３１ａ）および熱媒体用チューブ（１３２ａ）は、互いに離間して配置され、冷媒用チューブ（１３１ａ）および熱媒体用チューブ（１３２ａ）の間に、送風空気通路（１３３）が形成されていることを特徴とする。
【００１１】
これによれば、冷媒用チューブ（１３１ａ）と熱媒体用チューブ（１３２ａ）との間に送風空気が流れる送風空気通路（１３３）を形成しているので、送風空気を吐出冷媒および熱媒体の双方と熱交換可能な複合型熱交換器（１３）を具体的かつ容易に実現することができる。
【００１２】
また、請求項４に記載の発明では、請求項３に記載の車両用空調装置において、冷媒用チューブ（１３１ａ）の外表面および熱媒体用チューブ（１３２ａ）の外表面には、双方の熱交換部（１３１、１３２）における熱交換を促進すると共に、冷媒用チューブ（１３１ａ）を流通する吐出冷媒と熱媒体用チューブ（１３２ａ）を流通する熱媒体との間の熱移動を可能とするアウターフィン（１３４）が接合されていることを特徴とする。
【００１３】
これによれば、冷媒用チューブ（１３１ａ）の外表面および熱媒体用チューブ（１３２ａ）の外表面に、アウターフィン（１３４）が接合されているので、極めて容易に、第１熱交換部（１３１）を流通する吐出冷媒と、第２熱交換部（１３２）を流通する熱媒体との間の熱移動を可能とすることができる。
【００１４】
また、請求項５に記載の発明では、請求項１ないし４のいずれか１つに記載の車両用空調装置において、送風量調整手段（３５、３２ｂ）は、熱媒体の温度が予め定めた第１熱媒体基準温度以下となった際に、送風空気の送風量を減少させることを特徴とする。
【００１５】
これによると、複合型熱交換器（１３）の第２熱交換部（１３２）に流入する熱媒体の温度が第１熱媒体基準温度以下となった場合には、複合型熱交換器（１３）へ送風する送風空気の送風量を減少させ、送風空気と熱媒体および吐出冷媒との熱交換量を減少させることで、複合型熱交換器（１３）における吐出冷媒と熱媒体との熱交換を積極的に促進させることができる。
【００１６】
また、請求項６に記載の発明では、請求項５に記載の車両用空調装置において、送風量調整手段（３５、３２ｂ）は、外部熱源が作動を開始してから予め定めた基準時間以内に、熱媒体の温度が第１熱媒体基準温度以下となった際に、送風空気の送風量を減少させ、熱媒体の温度が第１熱媒体基準温度より高い温度となるまで上昇した際に、送風空気の送風量を増加させることを特徴とする。
【００１７】
これによると、外部熱源の作動開始の初期段階において熱媒体の温度が第１熱媒体基準温度以下となった場合には、複合型熱交換器（１３）における吐出冷媒と熱媒体との熱交換を積極的に促進させることができる。さらに、熱媒体の温度が第１熱媒体基準温度よりも高い温度に上昇した場合には、複合型熱交換器（１３）にて送風空気と吐出冷媒および熱媒体とを適切に熱交換させることが可能となる。
【００１８】
この場合、外部熱源の作動開始の初期段階において熱媒体の温度が低い場合には、複合型熱交換器（１３）における吐出冷媒と熱媒体との熱交換を、吐出冷媒と送風空気との熱交換よりも優先させることとなる。
【００１９】
また、請求項７に記載の発明では、請求項１ないし４のいずれか１つに記載の車両用空調装置において、送風量調整手段（３５、３２ｂ）は、外部熱源が作動を開始してから予め定めた基準時間以内に、熱媒体の温度が予め定めた第２熱媒体基準温度以下となった際に、送風空気の送風量を増加させ、複合型熱交換器（１３）を通過した吹出空気の温度が予め定められた吹出基準温度より高い温度にまで上昇した際に、送風空気の送風量を減少させることを特徴とする。
【００２０】
これによると、外部熱源の作動開始の初期段階において熱媒体の温度が第２熱媒体基準温度以下となった場合には、複合型熱交換器（１３）における送風空気と吐出冷媒および熱媒体との熱交換を積極的に促進させることができる。さらに、複合型熱交換器（１３）を通過した吹出空気の温度が吹出基準温度より高い温度にまで上昇した場合には、複合型熱交換器（１３）にて吐出冷媒と熱媒体との熱交換を適切に熱交換させることが可能となる。
【００２１】
この場合、外部熱源の作動開始の初期段階において熱媒体の温度が低い場合には、複合型熱交換器（１３）における送風空気と吐出冷媒および熱媒体との熱交換を、吐出冷媒と熱媒体との熱交換よりも優先させることとなる。
【００２２】
また、請求項８に記載の発明では、請求項５ないし７のいずれか１つに記載の車両用空調装置において、熱媒体流量調整手段（４１ｂ）は、送風量調整手段（３５、３２ｂ）にて熱媒体の温度に応じて送風空気の送風量を減少させる際に、熱媒体の流入量を増加させることを特徴とする。
【００２３】
これによれば、複合型熱交換器（１３）の第２熱交換部（１３２）に流入する熱媒体の温度に応じて、複合型熱交換器（１３）へ送風する送風空気の送風量の減少させる際に、第２熱交換部（１３２）に流入する熱媒体の流入量を増加させることで、吐出冷媒と熱媒体との熱交換量を増大させることで、複合型熱交換器（１３）における吐出冷媒と熱媒体との熱交換をより積極的に促進させることができる。
【００２４】
具体的には、請求項９に記載の発明のように、請求項１ないし８のいずれか１つに記載の車両用空調装置において、ケーシング（３１）の内部に、送風手段（３２ａ）から送風される送風空気を複合型熱交換器（１３）を迂回して流すバイパス通路（３４）を形成し、送風量調整手段を、複合型熱交換器（１３）へ流す送風空気とバイパス通路（３４）へ流す送風空気の風量割合を変更するエアミックスドア（３５）で構成することができる。
【００２５】
また、請求項１０に記載の発明では、請求項１ないし９のいずれか１つに記載の車両用空調装置において、吐出能力変更手段（１１ｂ）は、熱媒体の温度が送風手段（３２ａ）により複合型熱交換器（１３）に向けて送風される送風空気の温度以上となった際に、複合型熱交換器（１３）を通過した吹出空気の温度が予め決定された目標温度に近づくように圧縮機構（１１ａ）の冷媒吐出能力を変更することを特徴とする。
【００２６】
これによれば、複合型熱交換器（１３）の第２熱交換部（１３２）に流入する熱媒体の温度が複合型熱交換器（１３）に送風される送風空気の温度以上である場合には、圧縮機構（１１ａ）の冷媒吐出能力を目標温度に応じて調整することで、第１熱交換部（１３１）にて吐出冷媒と送風空気とを適切に熱交換させると共に、第２熱交換部（１３２）にて熱媒体と送風空気とを適切に熱交換させることが可能となる。つまり、吐出冷媒および熱媒体の有する熱量を車室内へ送風する送風空気を加熱するために有効に活用することができる。
【００３１】
また、請求項１１に記載の発明では、請求項１ないし１０のいずれか１つに記載の車両用空調装置において、外部熱源は、充電時に発熱する車載バッテリであって、熱媒体流量調整手段（４１ｂ、４２）は、車載バッテリが充電されている際に、熱媒体の流入量を増加させることを特徴とする。
【００３２】
これによれば、車載バッテリ（ＢＴ）の充電時に生ずる熱量を送風空気の温度調整に有効に活用することが可能となる。
【００３３】
具体的には、請求項１２に記載の発明のように、請求項３または４に記載の車両用空調装置において、第１熱交換部（１３１）に設けられた冷媒用チューブ（１３１ａ）を流通する冷媒の集合または分配を行う冷媒用タンク部（１３１ｂ）を冷媒用チューブ（１３１ａ）および熱媒体用チューブ（１３２ａ）の長手方向の一端側において冷媒用チューブ（１３１ａ）および熱媒体用チューブ（１３２ａ）の双方に固定し、さらに、第２熱交換部（１３２）に設けられた熱媒体用チューブ（１３２ａ）を流通する熱媒体の集合または分配を行う熱媒体用タンク部（１３２ｂ）を、冷媒用チューブ（１３１ａ）および熱媒体用チューブ（１３２ａ）の長手方向の他端側において冷媒用チューブ（１３１ａ）および熱媒体用チューブ（１３２ａ）の双方に固定するようにしてもよい。
【００３４】
また、請求項１３に記載の発明のように、請求項１２に記載の車両用空調装置において、冷媒用チューブ（１３１ａ）および熱媒体用チューブ（１３２ａ）を、送風空気通路（１３３）を流通する送風空気の流れ方向に複数列配置するようにしてもよい。
【００３５】
また、請求項１４に記載の発明のように、請求項１２または１３に記載の車両用空調装置において、冷媒用タンク部（１３１ｂ）の長手方向の一端側に冷媒を導入する冷媒導入部（１３ａ）および冷媒導出部（１３ｂ）を接続し、熱媒体用タンク部（１３２ｂ）の長手方向の一端側に冷媒を導入する熱媒体導入部（１３ｃ）および熱媒体導出部（１３ｄ）を接続するようにしてもよい。
【００３６】
ここで、請求項における「送風空気の送風量を減少させる」とは、現在、複合型熱交換器（１３）に送風している送風量よりも少ない送風量とすることのみを意味するものではなく、送風量をゼロとすることも含む意味である。
【００３７】
また、請求項における「熱媒体の流入量を減少させる」とは、現在、複合型熱交換器（１３）の第２熱交換部（１３２）に流入している流入量よりも少ない流入量とすることのみを意味するものではなく、流入量をゼロとすることも含む意味である。
【００３８】
なお、この欄および特許請求の範囲で記載した各手段の括弧内の符号は、後述する実施形態に記載の具体的手段との対応関係を示すものである。
【図面の簡単な説明】
【００３９】
【図１】第１実施形態に係る車両用空調装置の全体構成図である。
【図２】第１実施形態に係る複合型熱交換器の外観斜視図である。
【図３】第１実施形態に係る複合型熱交換器の分解斜視図である。
【図４】第１実施形態に係る複合型熱交換器における冷媒および冷却水の流れを説明するための模式的な斜視図である
【図５】第１実施形態に係るエアミックスドアのサーボモータの制御の概要を示す流れ図である。
【図６】第１実施形態に係る冷却水ポンプの電動モータの制御の概要を示す流れ図である。
【図７】第２実施形態に係るエアミックスドアのサーボモータの制御の概要を示す流れ図である。
【図８】第３実施形態に係る圧縮機の電動モータの制御の概要を示す流れ図である。
【図９】第４実施形態に係る冷却水ポンプの電動モータの制御の概要を示す流れ図である。
【発明を実施するための形態】
【００４０】
以下、本発明の実施形態について図に基づいて説明する。なお、以下の各実施形態相互において、互いに同一もしくは均等である部分には、図中、同一符号を付してある。
【００４１】
（第１実施形態）
本発明の第１実施形態について図１〜図６に基づいて説明する。本実施形態では、本発明の車両用空調装置を内燃機関（エンジン）ＥＧおよび走行用電動モータから車両走行用の駆動力を得る、いわゆるハイブリッド車両に適用している。
【００４２】
ハイブリッド車両は、車両の走行負荷等に応じてエンジンを作動あるいは停止させて、エンジンおよび走行用電動モータの双方から駆動力を得て走行する走行状態や、エンジンを停止させて走行用電動モータのみから駆動力を得て走行する走行状態等を切り替えることができる。これにより、ハイブリッド車両では、車両走行用の駆動力をエンジンのみから得る通常の車両に対して車両燃費を向上させることができる。
【００４３】
本実施形態の車両用空調装置１は、蒸気圧縮式の冷凍サイクルであるヒートポンプサイクル１０、室内空調ユニット３０、および外部熱源であるエンジンＥＧを冷却する冷却水（熱媒体）が循環する冷却水循環回路（熱媒体循環回路）４０等によって構成されている。
【００４４】
本実施形態のヒートポンプサイクル１０は、車両用空調装置１において、車両における空調対象空間である車室内へ送風される送風空気を加熱あるいは冷却する機能を果たす。つまり、ヒートポンプサイクル１０は、冷媒流路を切り替えて、車室内へ送風する送風空気（以下、車室内送風空気と称する。）を加熱して車室内を暖房する暖房運転、および車室内送風空気を冷却して車室内を冷房する冷房運転を実行できる。
【００４５】
また、本実施形態のヒートポンプサイクル１０では、冷媒として通常のフロン系冷媒を採用しており、高圧冷媒の圧力が冷媒の臨界圧力を越えない亜臨界冷凍サイクルを構成している。この冷媒には、後述する圧縮機１１を循環するための冷凍機油が混入されており、冷凍機油の一部は冷媒と共にサイクルを循環している。
【００４６】
圧縮機１１は、エンジンルーム（図示略）内に配置されて、ヒートポンプサイクル１０において冷媒を吸入し、圧縮して吐出するもので、吐出容量が固定された固定容量型の圧縮機構１１ａを電動モータ１１ｂにて駆動する電動圧縮機である。圧縮機構１１ａとしては、具体的に、スクロール型圧縮機構、ベーン型圧縮機構等の各種圧縮機構を採用することができる。
【００４７】
電動モータ１１ｂは、後述する制御装置（図示略）から出力される制御信号によって、その作動（回転数）が制御されるもので、交流モータ、直流モータのいずれの形式を採用してもよい。そして、この回転数制御によって、圧縮機構１１ａの冷媒吐出能力が変更される。従って、本実施形態では、電動モータ１１ｂが圧縮機構１１ａの吐出能力変更手段を構成する。
【００４８】
圧縮機１１の吐出口側には、複合型熱交換器１３の第１熱交換部１３１の入口側が接続されている。複合型熱交換器１３は、後述する室内空調ユニット３０のケーシング３１内に配置されて、その内部を流通する流体（冷媒、冷却水）と車室内送風空気とを熱交換させる熱交換器である。
【００４９】
複合型熱交換器１３は、圧縮機１１から吐出された吐出冷媒（高圧冷媒）を車室内送風空気と熱交換させる第１熱交換部１３１、および冷却水と車室内送風空気とを熱交換させる第２熱交換部１３２を有する。なお、複合型熱交換器１３の詳細構成については後述する。
【００５０】
複合型熱交換器１３における第１熱交換部１３１の出口側には、暖房運転時に複合型熱交換器１３の第１熱交換部１３１から流出した冷媒を減圧膨張させる第１減圧手段としての第１固定絞り１５が接続されている。この第１固定絞り１５としては、オリフィスやキャピラリーチューブを採用することができる。第１固定絞り１５の出口側には、後述する室外熱交換器１９の入口側が接続されている。
【００５１】
また、複合型熱交換器１３の第１熱交換部１３１の出口側には、第１熱交換部１３１から流出した冷媒を第１固定絞り１５を迂回させて室外熱交換器１９側へ導くための固定絞り用迂回通路１７が接続されている。
【００５２】
この固定用絞り用迂回通路１７には、固定絞り用迂回通路１７を開閉する開閉弁１８が配置されている。開閉弁１８は、後述する制御装置から出力される制御信号（制御電圧）によって、その開閉作動が制御される電磁弁である。
【００５３】
また、冷媒が開閉弁１８を通過する際に生ずる圧力損失は、第１固定絞り１５を通過する際に生ずる圧力損失に対して極めて小さい。従って、複合型熱交換器１３の第１熱交換部１３１から流出した冷媒は、開閉弁１８が開いている場合には固定絞り用迂回通路１７を介して室外熱交換器１９の入口側へ流入し、開閉弁１８が閉じている場合には第１固定絞り１５を介して室外熱交換器１９の入口側へ流入する。
【００５４】
このように、開閉弁１８は、ヒートポンプサイクル１０の冷媒流路を切り替えることができる。従って、本実施形態の開閉弁１８は、冷媒流路切替手段としての機能を果たす。なお、開閉弁１８に変えて、複合型熱交換器１３の第１熱交換部１３１出口側と第１固定絞り１５入口側とを接続する冷媒流路、および複合型熱交換器１３出口側と固定絞り用迂回通路１７入口側とを接続する冷媒流路を切り替える電気式の三方弁等を設ける構成としてもよい。
【００５５】
室外熱交換器１９は、内部を流通する冷媒と送風ファン２０から送風された外気とを熱交換させるものである。この室外熱交換器１９は、エンジンルーム内に配置されて、暖房運転時には、低圧冷媒を蒸発させて吸熱作用を発揮させる蒸発器として機能し、冷房運転時には、高圧冷媒を放熱させる放熱器として機能する熱交換器である。
【００５６】
送風ファン２０は、後述する制御装置から出力される制御信号（制御電圧）によって回転数（外気の送風空気量）が制御される電動式送風機である。なお、送風ファン２０は、室外熱交換器１９に向けて外気を送風する外気送風手段を構成している。
【００５７】
室外熱交換器１９の出口側には、電気式の三方弁２１が接続されている。この三方弁２１は、後述する制御装置から出力される制御信号（制御電圧）によって、その作動が制御されるものである。
【００５８】
より具体的には、三方弁２１は、暖房運転時に室外熱交換器１９出口側と後述する第２固定絞り２２入口側とを接続する冷媒流路に切り替え、冷房運転時および除湿暖房運転時に室外熱交換器１９出口側と後述するアキュムレータ２４とを接続する冷媒流路に切り替える。なお、三方弁２１は、上述の開閉弁１８と共に冷媒流路切替手段としての機能を果たす。
【００５９】
第２固定絞り２２は、冷媒運転時に室外熱交換器１９から流出した冷媒を減圧膨張させる第２減圧手段であり、その基本構成は、上述の第１固定絞り１５と同様である。第２固定絞り２２の出口側には、室内蒸発器２３の入口側が接続されている。
【００６０】
室内蒸発器２３は、室内空調ユニット３０のケーシング３１内に配置されて、第２固定絞り２２によって減圧膨張された低圧冷媒と車室内送風空気とを熱交換させ、低圧冷媒を蒸発させることによって送風空気を冷却する冷却用熱交換器である。室内蒸発器２３の出口側には、アキュムレータ２４の入口側が接続されている。
【００６１】
アキュムレータ２４は、その内部に流入した冷媒の気液を分離して、サイクル内の余剰冷媒を蓄える気液分離器である。アキュムレータ２４の気相冷媒出口には、圧縮機１１の吸入口側が接続されている。従って、アキュムレータ２４は、圧縮機１１に液相冷媒が吸入されることを抑制し、圧縮機１１における液圧縮を防止する機能を果たす。
【００６２】
次に、室内空調ユニット３０について説明する。室内空調ユニット３０は、車室内最前部の計器盤（インストルメントパネル）の内側に配置されて、その外殻を形成するケーシング３１内に送風機３２、上述の複合型熱交換器１３、および室内蒸発器２３等を収容したものである。
【００６３】
ケーシング３１は、車室内送風空気の空気通路を形成しており、ある程度の弾性を有し、強度的にも優れた樹脂（例えば、ポリプロピレン）にて成形されている。ケーシング３１内の送風空気流れ最上流側には、車室内空気（内気）と外気とを切替導入する内外気切替装置３３が配置されている。
【００６４】
内外気切替装置３３には、ケーシング３１内に内気を導入させる内気導入口および外気を導入させる外気導入口が形成されている。さらに、内外気切替装置３３の内部には、内気導入口および外気導入口の開口面積を連続的に調整して、内気の風量と外気の風量との風量割合を変化させる内外気切替ドアが配置されている。
【００６５】
内外気切替装置３３の空気流れ下流側には、内外気切替装置３３を介して導入された空気を車室内に向けて送風する送風機３２が配置されている。この送風機３２は、遠心多翼ファン（シロッコファン）３２ａを電動モータ３２ｂにて駆動する電動送風機であって、後述する制御装置から出力される制御信号（制御電圧）によって回転数（送風量）が制御される。なお、遠心式多翼ファン３２ａが車室内へ空気を送風する送風手段としての機能を果たす。
【００６６】
送風機３２の空気流れ下流側には、室内蒸発器２３および複合型熱交換器１３が、車室内送風空気の流れに対して、この順に配置されている。換言すると、室内蒸発器２３は、複合型熱交換器１３に対して、車室内送風空気の流れ方向上流側に配置されている。
【００６７】
また、ケーシング３１内には、室内蒸発器２３を通過した空気を複合型熱交換器１３を迂回させて流すバイパス通路３４が形成されている。
【００６８】
さらに、室内蒸発器２３の空気流れ下流側であって、かつ、複合型熱交換器１３の空気流れ上流側には、室内蒸発器２３通過後の空気のうち、複合型熱交換器１３を通過させる空気とバイパス通路３４を通過させる空気との風量割合を調整するエアミックスドア３５が配置されている。また、複合型熱交換器１３の空気流れ下流側およびバイパス通路３４の空気流れ下流側には、複合型熱交換器１３を通過した空気とバイパス通路３４を通過した空気とを混合させる混合空間が設けられている。
【００６９】
そして、ケーシング３１の送風空気流れ最下流側には、混合空間にて混合された空調風を、空調対象空間である車室内へ吹き出す吹出口（図示略）が配置されている。具体的には、吹出口としては、車室内の乗員の上半身へ空調風を吹き出すフェイス吹出口、乗員の足元へ空調風を吹き出すフット吹出口、および車両前面窓ガラス内側面へ空調風を吹き出すデフロスタ吹出口が設けられている。
【００７０】
従って、エアミックスドア３５は、複合型熱交換器１３を通過させる空気とバイパス通路３４を通過させる空気との風量割合を調整することで、混合空間にて混合された空調風の温度が調整され、各吹出口から吹き出される空調風の温度が調整される。つまり、エアミックスドア３５は、複合型熱交換器１３へ送風する車室内送風空気の送風量を調整する送風量調整手段としての機能を果たすと共に、車室内へ送風する空調風の温度を調整する温度調整手段としての機能も果たす。なお、エアミックスドア３５は、制御装置から出力される制御信号によって作動するサーボモータ（図示略）によって駆動される。
【００７１】
さらに、フェイス吹出口、フット吹出口、およびデフロスタ吹出口の送風空気流れ上流側には、フェイス吹出口の開口面積を調整するフェイスドア（図示略）、フット吹出口の開口面積を調整するフットドア（図示略）、およびデフロスタ吹出口の開口面積を調整するデフロスタドア（図示略）が配置されている。
【００７２】
これらのフェイスドア、フットドア、およびデフロスタドアは、吹出口モードを切り替える吹出口モード切替手段を構成するものであって、リンク機構等を介して、後述する制御装置から出力される制御信号によってその作動が制御されるサーボモータ（図示略）によって駆動される。
【００７３】
次に、冷却水循環回路４０について説明する。冷却水循環回路４０は、作動時に発熱を伴う車載機器であるエンジンＥＧの内部に形成された冷却水通路に、熱媒体としての冷却水（例えば、エチレングリコール水溶液）を流通させてエンジンＥＧを冷却する熱媒体循環回路である。
【００７４】
本実施形態の冷却水循環回路４０には、冷却水ポンプ４１、開閉弁４２、ラジエータ４３、複合型熱交換器１３の第２熱交換部１３２が設けられている。
【００７５】
冷却水ポンプ４１は、冷却水循環回路４０においてエンジンＥＧの内部に形成された冷却水通路へ冷却水を圧送する熱媒体圧送手段である圧送機構４１ａ、および圧送機構４１ａを駆動する電動モータ４１ｂで構成される電動式の水ポンプである。この冷却水ポンプ４１の電動モータ４１ｂは、その回転数を増加させることで、複合型熱交換器１３の第２熱交換部１３１に流入する冷却水の流入量を増加させることができる。
【００７６】
従って、本実施形態の冷却水ポンプ４１の電動モータ４１ｂは、熱媒体流量調整手段としての機能を果たす。冷却水ポンプ４１の電動モータ４１ｂは、制御装置から出力される制御信号によって回転数が制御される。
【００７７】
冷却水ポンプ４１の出口側には、ラジエータ４３の入口側、および複合型熱交換器１３の第２熱交換部１３の入口側が接続されている。そして、冷却水ポンプ４１から複合型熱交換器１３の第２熱交換部１３に至る熱媒体流路には、当該熱媒体流路を開閉する開閉弁４２が配置されている。この開閉弁４２には、制御装置から出力される制御信号（制御電圧）によって、その開閉作動が制御される電磁弁である。
【００７８】
ここで、開閉弁４２が開いている場合には、冷却水ポンプ４１から圧送されてエンジンＥＧによって昇温された冷却水が、ラジエータ４３の入口側および複合型熱交換器１３の第２熱交換部１３２の入口側の双方へ流入し、開閉弁４２が閉じている場合には、冷却水ポンプ４１から圧送されてエンジンＥＧによって昇温された冷却水が、ラジエータ４４の入口側へ流入する。
【００７９】
つまり、本実施形態の冷却水循環回路４０では、冷却水ポンプ４１→エンジンＥＧ→複合型熱交換器１３の第２熱交換部１３２およびラジエータ４３→冷却水ポンプ４１の順に冷却水を循環させる熱媒体回路と、冷却水ポンプ４１→エンジンＥＧ→ラジエータ４３→冷却水ポンプ４１の順に冷却水を循環させる熱媒体回路とを切り替えることができる。
【００８０】
このように、開閉弁４２は、冷却水循環回路４０の熱媒体流路を切り替えることができる。従って、本実施形態の開閉弁４２は、熱媒体流路切替手段としての機能を果たす。
【００８１】
また、開閉弁４２が閉じている場合には、複合型熱交換器１３の第２熱交換部１３２に冷却水が流入しなくなる。すなわち、複合型熱交換器１３の第２熱交換部１３２へ流入させる冷却水の流入量を減少させることができる。従って、本実施形態の開閉弁４２は、冷却水ポンプ４１の電動モータ４１ｂと共に、熱媒体流量調整手段としての機能を果たす。なお、開閉弁４２に変えて、エンジンＥＧの内部に形成された冷却水通路の出口側と複合型熱交換器１３の第２熱交換部１３２入口側とを接続する熱媒体流路、およびエンジンＥＧの内部に形成された冷却水通路の出口側とラジエータ４３入口側とを接続する熱媒体流路を切り替える電気式の三方弁等を設ける構成としてもよい。
【００８２】
ラジエータ４３は、エンジンルーム内に配置されて、エンジンＥＧの内部に形成された冷却水通路から流出した冷却水と、送風ファン（図示略）から送風される外気と熱交換させて冷却水の有する熱を外気に放熱させる放熱器である。なお、ラジエータ４３の送風ファンは、制御装置から出力される制御信号によって、その作動が制御される。
【００８３】
次に、図２〜図４に基づいて、複合型熱交換器１３の詳細構成について説明する。図２は、本実施形態に係る複合型熱交換器１３の外観斜視図であり、図３は、本実施形態に係る複合型熱交換器１３の分解斜視図である。また、図４は、本実施形態に係る複合型熱交換器１３における冷媒および冷却水の流れを説明するための模式的な斜視図である。
【００８４】
本実施形態の複合型熱交換器１３は、車室内送風空気が圧縮機構１１ａから吐出された吐出冷媒および熱媒体である冷却水の双方と熱交換可能なように、第１熱交換部１３１および第２熱交換部１３２を一体化したものである。
【００８５】
第１熱交換部１３１および第２熱交換部１３２それぞれは、内部に流体を流通させる複数のチューブ１３１ａ、１３２ａ、当該複数のチューブ１３１ａ、１３２ａの両端側に配置されて流体の集合あるいは分配を行う一対の集合分配用のタンク１３１ｂ、１３２ｂ等を有する、いわゆるタンクアンドチューブ型の熱交換器として構成されている。
【００８６】
より具体的には、第１熱交換部１３１は、冷媒が流れる複数の冷媒用チューブ１３１ａ、および冷媒用チューブ１３１ａの長手方向に対して直交する方向に延びて冷媒用チューブ１３１ａ内を流れる高圧冷媒の集合あるいは分配を行う冷媒用ヘッダタンク部（冷媒用タンク部）１３１ｂを有し、冷媒用チューブ１３１ａを流れる冷媒と冷媒用チューブ１３１ａの周囲を流れる車室内送風空気とを熱交換させる熱交換部である。
【００８７】
一方、第２熱交換部１３２は、熱媒体である冷却水が流れる複数の熱媒体用チューブ１３２ａ、および熱媒体用チューブ１３２ａの長手方向に対して直交する方向に延びて熱媒体用チューブ１３２ａ内を流れる冷却水の集合あるいは分配を行う熱媒体用ヘッダタンク部（熱媒体用タンク部）１３２ｂを有し、熱媒体用チューブ１３２ａを流れる冷却水と熱媒体用チューブ１３２ａの周囲を流れる車室内送風空気とを熱交換させる熱交換部である。
【００８８】
冷媒用チューブ１３１ａおよび熱媒体用チューブ１３２ａは、その長手方向に直交する断面形状が扁平形状となる扁平チューブで構成されて、伝熱性に優れる金属（アルミニウム合金等）で形成されている。
【００８９】
本実施形態の冷媒用チューブ１３１ａおよび熱媒体用チューブ１３２ａは、それぞれ送風機３２からの送風空気の流れ方向Ｘに沿って２列配置されている。そして、本実施形態の冷媒用チューブ１３１ａおよび熱媒体用チューブ１３２ａは、その外表面の平坦面同士が互いに平行、かつ、所定の間隔をあけて離間した状態で交互に配置されている。すなわち、冷媒用チューブ１３１ａは、熱媒体用チューブ１３２ａの間に配置され、逆に、熱媒体用チューブ１３２ａは、冷媒用チューブ１３１ａの間に配置されている。
【００９０】
そして、冷媒用チューブ１３１ａと熱媒体用チューブ１３２ａとの間に形成される空間は、車室内送風空気が流通する送風空気通路１３３を構成している。つまり、冷媒用チューブ１３１ａの外周および熱媒体用チューブ１３２ａの外周には、車室内送風空気が流通する送風空気通路１３３が形成されている。
【００９１】
さらに、送風空気通路１３３には、第１熱交換部１３１における冷媒と車室内送風空気との熱交換、および第２熱交換部１３２における冷却水と車室内送風空気との熱交換を促進すると共に、冷媒用チューブ１３１ａを流れる冷媒と熱媒体用チューブ１３２ａを流れる冷却水との熱交換を促進する伝熱促進手段としてアウターフィン１３４が配置されている。アウターフィン１３４は、対向する冷媒用チューブ１３１ａの外表面および熱媒体用チューブ１３２ａの外表面に接合された状態で配置されている。
【００９２】
また、冷媒用チューブ１３１ａおよび熱媒体用チューブ１３２ａは、冷媒用ヘッダタンク部１３１ｂと熱媒体用ヘッダタンク部１３２ｂとの間に配置されている。具体的には、冷媒用チューブ１３１ａおよび熱媒体用チューブ１３２ａの長手方向一端側に冷媒用ヘッダタンク部１３１ｂが配置され、冷媒用チューブ１３１ａおよび熱媒体用チューブ１３２ａの長手方向他端側に熱媒体用ヘッダタンク部１３２ｂが配置されている。
【００９３】
図３に示すように、冷媒用ヘッダタンク部１３１ｂは、２列に配置された各チューブ１３１ａ、１３２ａに接続される冷媒用接続プレート１３１ｃ、冷媒用接続プレート１３１ｃに固定された冷媒用中間プレート１３１ｄ、および冷媒用タンク形成部材１３１ｅを有している。
【００９４】
冷媒用中間プレート１３１ｄには、冷媒用接続プレート１３１ｃが固定されることによって、冷媒用接続プレート１３１ｃとの間に、２列の熱媒体用チューブ１３２ａ同士を互いに連通する複数の空間を有する複数の凹み部１３１ｆが形成されている。
【００９５】
また、冷媒用中間プレート１３１ｄにおける冷媒用チューブ１３１ａに対応する部位には、その表裏を貫通する貫通穴が形成され、当該貫通穴に冷媒用チューブ１３１ａが嵌挿されている。なお、冷媒用チューブ１３１ａおよび熱媒体用チューブ１３２ａの冷媒用ヘッダタンク部１３１ｂ側の端部では、冷媒用チューブ１３１ａが、熱媒体用チューブ１３２ａよりも冷媒用タンク形成部材１３１ｅ側に突出している。
【００９６】
冷媒用タンク形成部材１３１ｅは、冷媒用接続プレート１３１ｃおよび冷媒用中間プレート１３１ｄに固定されることによって、その内部に冷媒を集合させる集合空間１３１ｇ、および冷媒を分配する分配空間１３１ｈを形成する。具体的には、冷媒用タンク形成部材１３１ｅは、平板金属にプレス加工を施すことにより、その長手方向から見たときに二山状（Ｗ字状）に形成される。
【００９７】
そして、冷媒用タンク形成部材１３１ｅの二山状の中央部が、冷媒用中間プレート１３１ｄに接合されることで、集合空間１３１ｇおよび分配空間１３１ｈが区画されている。なお、本実施形態では、送風空気の流れ方向Ｘの風下側に集合空間１３１ｇが配置され、風下側に分配空間１３１ｈが配置されている。
【００９８】
また、冷媒用タンク形成部材１３１ｅの長手方向一端側には、分配空間１３１ｈへ冷媒を流入させる冷媒用流入配管（冷媒導入部）１３ａが接続されると共に、集合空間１３１ｇから冷媒を流出させる冷媒用流出配管（冷媒導出部）１３ｂが接続されている。さらに、冷媒用タンク形成部材１３１ｅの長手方向他端側は、閉塞部材により閉塞されている。
【００９９】
一方、熱媒体用ヘッダタンク部１３２ｂは、冷媒用ヘッダタンク部１３１ｂと基本的構成が同様であり、各チューブ１３１ａ、１３２ａに接続される熱媒体用接続プレート１３２ｃ、熱媒体用接続プレート１３２ｃに固定された熱媒体用中間プレート１３２ｄ、および熱媒体用タンク形成部材１３２ｅを有している。
【０１００】
そして、熱媒体用中間プレート１３２ｄには、熱媒体用接続プレート１３２ｃが固定されることによって、熱媒体用接続プレート１３２ｃとの間に、２列の冷媒用チューブ１３１ａ同士を互いに連通する複数の空間を有する複数の凹み部１３２ｆが形成されている。
【０１０１】
また、熱媒体用中間プレート１３２ｄにおける熱媒体用チューブ１３２ａに対応する部位には、その表裏を貫通する貫通穴が形成され、当該貫通穴に熱媒体用チューブ１３２ａが嵌挿されている。なお、冷媒用チューブ１３１ａおよび熱媒体用チューブ１３２ａの熱媒体用ヘッダタンク部１３２ｂ側の端部では、熱媒体用チューブ１３２ａが、冷媒用チューブ１３１ａよりも熱媒体用タンク形成部材１３２ｅ側に突出している。
【０１０２】
熱媒体用タンク形成部材１３２ｅは、熱媒体用接続プレート１３２ｃおよび熱媒体用中間プレート１３２ｄに固定されることによって、その内部に冷却水を集合させる集合空間１３２ｇ、および冷却水を分配する分配空間１３２ｈを形成する。具体的には、熱媒体用タンク形成部材１３２ｅは、冷媒用タンク形成部材１３１ｅと同様に、その長手方向から見たときに二山状（Ｗ字状）に形成される。
【０１０３】
そして、熱媒体用タンク形成部材１３２ｅの二山状の中央部が、熱媒体用中間プレート１３２ｄに接合されることで、集合空間１３２ｇおよび分配空間１３２ｈが区画されている。なお、本実施形態では、送風空気の流れ方向Ｘの風上側に集合空間１３２ｇが配置され、風下側に分配空間１３２ｈが配置されている。
【０１０４】
また、熱媒体用タンク形成部材１３２ｅの長手方向一端側には、分配空間１３２ｈへ冷却水を流入させる熱媒体用流入配管（熱媒体導入部）１３ｃが接続されると共に、集合空間１３２ｇから冷却水を流出させる熱媒体用流出配管（熱媒体導出部）１３ｄが接続されている。さらに、熱媒体用タンク形成部材１３２ｅの長手方向他端側は、閉塞部材により閉塞されている。
【０１０５】
このように構成される本実施形態の複合型熱交換器１３では、図４の実線矢印で示すように、冷媒用流入配管１３ａを介して冷媒用ヘッダタンク部１３１ｂの分配空間１３１ｈから流入した冷媒が、２列に並べられた冷媒用チューブ１３１ａのうち、外気流れ方向の風上側の各冷媒用チューブ１３１ａへ流入する。
【０１０６】
そして、外気流れ方向の風上側の各冷媒用チューブ１３１ａから流出した冷媒が、熱媒体用ヘッダタンク部１３２ｂの熱媒体用接続プレート１３２ｃと熱媒体用中間プレート１３２ｄとの間に形成された空間を介して、外気流れ方向の風下側の各冷媒用チューブ１３１ａへ流入する。
【０１０７】
さらに、外気流れ方向の風下側に配置された各冷媒用チューブ１３１ａから流出した冷媒が、冷媒用ヘッダタンク部１３１ｂの集合空間１３１ｇにて集合し、冷媒用流出配管１３ｂから流出する。つまり、本実施形態の複合型熱交換器１３では、冷媒用流入配管１３ａから流入した冷媒が、風上側の各冷媒用チューブ１３１ａ→熱媒体用ヘッダタンク部１３２ｂ→風下側の各冷媒用チューブ１３１ａの順にＵターンして、冷媒流出配管１３ｂへ流出する。
【０１０８】
同様に、熱媒体用流入配管１３ｃから流入した冷却水は、図４の破線矢印で示すように、風下側の各熱媒体用チューブ１３２ａ→冷媒用ヘッダタンク部１３１ｂ→風上側の各熱媒体用チューブ１３２ａの順にＵターンして、熱媒体用流出配管１３ｄへ流出する。
【０１０９】
本実施形態では、このような複合型熱交換器１３を採用していることにより、複数種の流体（冷媒、冷却水、空気）の間で相互に熱交換させることができる。
【０１１０】
次に、本実施形態の電気制御部について説明する。本実施形態の制御装置（図示略）は、ＣＰＵ、ＲＯＭ、およびＲＡＭ等を含む周知のマイクロコンピュータとその周辺回路から構成され、そのＲＯＭ内に記憶された制御プログラムに基づいて各種演算、処理を行い、出力側に接続された各種制御機器等の作動を制御する。
【０１１１】
また、制御装置の入力側には、車室内温度を検出する内気センサ（内気温度検出手段）、外気温を検出する外気センサ（外気温度検出手段）、車室内の日射量を検出する日射センサ（日射量検出手段）、室内蒸発器２３の吹出空気温度（蒸発器温度）を検出する蒸発器温度センサ（蒸発器温度検出手段）、複合型熱交換器１３に流入する高圧冷媒（圧縮機１１の吐出冷媒）の温度を検出する高圧側温度センサ（高圧側冷媒温度検出手段）、高圧冷媒の圧力を検出する高圧側圧力センサ（高圧側冷媒圧力検出手段）、複合型熱交換器１３に流入する冷却水の温度を検出する冷却水温度センサ（熱媒体温度検出手段）等のセンサ群が接続されている。
【０１１２】
さらに、制御装置の入力側には、車室内前部の計器盤付近に配置された操作パネル（図示略）に接続され、この操作パネルに設けられた各種操作スイッチの操作信号が入力される。操作パネルに設けられた操作スイッチとしては、車両用空調装置の作動スイッチ、車室内温度を設定する車室内温度設定スイッチ、運転モード設定スイッチ等が設けられている。
【０１１３】
ここで、制御装置は、各種制御機器を制御する制御手段が一体に構成され、これらを制御するものであるが、本実施形態では、制御装置のうち、各制御機器の作動を制御するための構成（ハードウェアおよびソフトウェア）が各制御機器の制御手段として機能する。
【０１１４】
例えば、圧縮機１１の電動モータ１１ｂの作動を制御する構成が吐出能力制御手段を構成し、冷却水循環回路４０の冷却水ポンプ４１および開閉弁４２の作動を制御する構成が熱媒体流量制御手段を構成し、エアミックスドア３５のサーボモータの作動を制御する構成が送風量制御手段を構成する。
【０１１５】
次に、上述のように構成される本実施形態の作動について説明する。本実施形態の車両用空調装置１では、車室内を暖房する暖房運転、および車室内を冷房する冷房運転を実行することができる。なお、暖房運転および冷房運転のいずれの運転を実行するかは、操作パネルの運転モード設定スイッチの操作信号に応じて決定される。
（ａ）冷房運転
冷房運転は、操作パネルの作動スイッチが投入された状態で、操作パネルの運転モード設定スイッチにて冷房運転モードが選択されると開始される。
【０１１６】
冷房運転時には、制御装置が、ヒートポンプサイクル１０の開閉弁１８を開くと共に、三方弁２１を室外熱交換器１９の出口側と第２固定絞り２２とを接続する冷媒流路に切り替える。さらに、制御装置が冷却水循環回路４０の開閉弁４２を閉じる。
【０１１７】
これにより、ヒートポンプサイクル１０では、圧縮機１１から吐出された吐出冷媒（高圧冷媒）が、図１の白抜き矢印に示すように流れる。また、冷却水循環回路４０では、冷却水ポンプ４１から圧送された冷却水が、図１の実線矢印に示すように流れる。
【０１１８】
開閉弁１８、三方弁２１、開閉弁４２にて冷房運転時の冷媒流路および熱媒体流路に切り替えられた後、制御装置が、上述のセンサ群の検出信号や操作パネルの操作信号を読み込む。そして、読み込んだ検出信号や操作信号に応じて、車室内に吹き出す空気の目標温度である目標吹出温度ＴＡＯを算出する。さらに、算出された目標吹出温度ＴＡＯ、センサ群の検出信号、および操作パネルの操作信号に基づいて、制御装置の出力側に接続された各種制御機器の作動状態を決定する。
【０１１９】
例えば、ヒートポンプサイクル１０における圧縮機構１１ａの冷媒吐出能力、すなわち圧縮機１１の電動モータ１１ｂに出力される制御信号（回転数）については、以下のように決定される。まず、目標吹出温度ＴＡＯに基づいて、予め制御装置に記憶された制御マップを参照して、室内蒸発器２３の目標蒸発器吹出温度ＴＥＯを決定する。
【０１２０】
そして、この目標蒸発器吹出温度ＴＥＯと蒸発器温度センサによって検出された室内蒸発器２３からの吹出空気温度Ｔｅとの偏差に基づいて、フィードバック制御手法を用いて室内蒸発器２３からの吹出空気温度Ｔｅが目標吹出空気温度ＴＥＯに近づくように、圧縮機１１の電動モータ１１ｂに出力される制御信号が決定される。
【０１２１】
また、エアミックスドア３５のサーボモータに出力される制御信号については、目標吹出温度ＴＡＯおよび室内蒸発器２３の吹出空気温度Ｔｅに基づいて、予め制御装置に記憶された制御マップを参照して、車室内へ吹き出す空気の温度が車室内温度設定スイッチによって設定された所望の温度となるように決定される。
【０１２２】
また、冷却水ポンプ４１の電動モータに出力される制御信号については、冷却水温度センサの検出値に応じて、エンジンＥＧの温度が予め定められた保護温度範囲となるように決定される。
【０１２３】
ここで、保護温度範囲は、エンジンＥＧ内に封入された潤滑量オイルの粘度増加によるフリクションロスを低減するために設定された下限保護温度Ｔｗｌ以上、かつ、エンジンＥＧのオーバーヒートを抑制するために設定された上限保護温度Ｔｗｈ以下となる範囲に設定されている。
【０１２４】
そして、目標吹出温度ＴＡＯ等により決定された制御信号等を各種制御機器へ出力する。その後、操作パネルによって車両用空調装置１の作動停止が要求されるまで、所定の制御周期毎に、上述の検出信号および操作信号の読み込み→目標吹出温度ＴＡＯの算出→各制御機器の作動状態の決定→各制御機器の制御といった制御ルーチンが繰り返される。なお、このような制御ルーチンは、基本的には他の運転モードが設定された場合にも同様に行われる。
【０１２５】
これにより、ヒートポンプサイクル１０では、圧縮機１１から吐出された冷媒が、複合型熱交換器１３の第１熱交換部１３１に流入する。複合型熱交換器１３の第１熱交換部１３１に流入した高圧冷媒は、送風機３２から送風された車室内送風空気と熱交換して放熱し、車室内送風空気が加熱される。
【０１２６】
複合型熱交換器１３の第１熱交換部１３１から流出した高圧冷媒は、開閉弁１８を介して、室外熱交換器１９へ流入する。室外熱交換器１９へ流入した冷媒は、送風ファン２０から送風された外気と熱交換して放熱する。
【０１２７】
室外熱交換器１９から流出した冷媒は、第２固定絞り２２に流入して低圧冷媒となるまで減圧膨張される。第２固定絞り２２にて減圧された低圧冷媒は、室内蒸発器２３へ流入して、送風機３２から送風された車室内送風空気から吸熱して蒸発する。これにより、車室内へ送風される送風空気が冷却される。
【０１２８】
室内蒸発器２３から流出した冷媒は、アキュムレータ２４に流入し、当該アキュムレータ２４にて気液分離される。そして、アキュムレータ２４にて分離された気相冷媒が、圧縮機１１に吸入されて再び圧縮される。
【０１２９】
また、冷却水循環回路４０では、冷却水ポンプ４１から圧送された冷却水がエンジンＥＧの内部に形成された冷却水通路を流れ、エンジンＥＧの有する熱量によって加熱される。そして、エンジンＥＧの冷却水通路から流出した冷却水は、ラジエータ４３に流入し外気に放熱した後、再び冷却水ポンプ４１に吸入される。
【０１３０】
以上の如く、冷房運転時には、室内蒸発器２３にて低圧冷媒が車室内送風空気から吸熱することで、車室内送風空気が冷却されて車室内の冷房を行うことができる。
（ｂ）暖房運転
暖房運転は、操作パネルの作動スイッチが投入された状態で、操作パネルの運転モード設定スイッチにて暖房運転モードが選択されると開始される。
【０１３１】
この暖房運転時には、制御装置がヒートポンプサイクル１０の開閉弁１８を閉じると共に、三方弁２１を室外熱交換器１９の出口側とアキュムレータ２４の入口側とを接続する冷媒流路に切り替える。さらに、制御装置が冷却水循環回路４０の開閉弁４２を開く。
【０１３２】
これにより、ヒートポンプサイクル１０では、圧縮機１１から吐出された吐出冷媒が図１の黒矢印に示すように流れる。また、冷却水循環回路４０では、冷却水ポンプ４１から圧送された冷却水が、図１の破線矢印で示すように流れる。
【０１３３】
そして、制御装置が、目標吹出温度ＴＡＯ、センサ群の検出信号、および操作パネルの操作信号に基づいて、制御装置の出力側に接続された各種制御機器の作動状態を決定する。
【０１３４】
例えば、圧縮機１１の電動モータ１１ｂに出力される制御信号（回転数）については、目標吹出温度ＴＡＯに基づいて、予め制御装置に記憶された制御マップを参照して、複合型熱交換器１３の目標熱交換器温度を算出し、算出した目標熱交換器温度と高圧側温度センサによって検出された第１熱交換部１３１に流入する高圧冷媒の温度との偏差に基づいて、フィードバック制御手法を用いて複合型熱交換器１３からの吹出空気温度が目標熱交換器に近づくように決定される。
【０１３５】
また、暖房運転時におけるエアミックスドア３５のサーボモータに出力される制御信号については、エアミックスドア３５の開度が目標吹出温度ＴＡＯおよび室内蒸発器２３の吹出空気温度Ｔｅに基づく第１目標開度、および第１目標開度よりも複合型熱交換器１３側の空気通路の開度を減少させた第２目標開度のいずれかとなるように決定される。
【０１３６】
例えば、図５に示すように、エアミックスドア３５のサーボモータに出力される制御信号は、外部熱源であるエンジンＥＧの作動開始から予め定められた基準時間以内（起動初期段階）において、冷却水温度が第１熱媒体基準温度以下となっている場合に、エアミックスドア３５の開度が第２目標開度となるように決定される。
【０１３７】
一方、エンジンＥＧの起動初期段階において冷却水温度が第１熱媒体基準温度より高い温度に上昇した場合、あるいは、エンジンＥＧの起動初期段階を経過した場合には、エアミックスドア３５の開度が第１目標開度となるようにエアミックスドア３５のサーボモータに出力される制御信号が決定される。なお、図５は、エアミックスドア３５のサーボモータの制御の一例を示す流れ図である。
【０１３８】
これにより、エアミックスドア３５のサーボモータに出力される制御信号が、エアミックスドア３５の開度が第２目標開度となるように決定された場合には、第１目標開度となるように決定された場合に比べて、複合型熱交換器１３へ送風される車室内送風空気の送風量が減少する。逆に、エアミックスドア３５のサーボモータに出力される制御信号が、エアミックスドア３５の開度が第１目標開度となるように決定された場合には、第２目標開度となるように決定された場合に比べて、複合型熱交換器１３へ送風される車室内送風空気の送風量が増加する。
【０１３９】
また、暖房運転時における冷却水ポンプ４１の電動モータ４１ｂに出力される制御信号については、電動モータ４１ｂの回転数が冷却水温度センサの検出値に応じた第１目標回転数、および第１目標回転数よりも高い回転数となる第２目標回転数のいずれかとなるように決定される。
【０１４０】
例えば、図６に示すように、冷却水ポンプ４１の電動モータ４１ｂに出力される制御信号は、エアミックスドア３５の開度が第２目標開度となるように決定される条件が成立した場合に、電動モータ４１ｂの回転数が第２目標回転数となるように決定される。
【０１４１】
一方、冷却水ポンプ４１の電動モータ４１ｂに出力される制御信号は、エアミックスドア３５の開度が第１目標開度となるように決定される条件が成立した場合に、電動モータ４１ｂの回転数が第１目標回転数となるように決定される。なお、図６は、冷却水ポンプ４１の電動モータ４１ｂの制御の一例を示す流れ図である。
【０１４２】
これにより、冷却水ポンプ４１の電動モータ４１ｂに出力される制御信号が、電動モータ４１ｂの回転数が第２目標回転数となるように決定された場合には、第１目標回転数となるように決定された場合に比べて、複合型熱交換器１３の第２熱交換部１３１へ流入する冷却水の流入量が増加する。逆に、冷却水ポンプ４１の電動モータ４１ｂに出力される制御信号が、電動モータ４１ｂの回転数が第１目標回転数となるように決定された場合には、第２目標回転数となるように決定された場合に比べて、複合型熱交換器１３の第２熱交換部１３１へ流入する冷却水の流入量が減少する。
【０１４３】
なお、暖房運転時には、制御装置が、ラジエータ４３に空気を送風する送風ファンが作動しないように、送風ファンに制御信号を出力する。
【０１４４】
これにより、ヒートポンプサイクル１０では、圧縮機１１から吐出された吐出冷媒が、複合型熱交換器１３の第１熱交換部１３１に流入する。複合型熱交換器１３の第１熱交換部１３１に流入した高圧冷媒は、送風機３２から送風された車室内送風空気と熱交換して放熱する。これにより、車室内送風空気が加熱される。
【０１４５】
複合型熱交換器１３の第１熱交換部１３１から流出した高圧冷媒は、第１固定絞り１５に流入して低圧冷媒となるまで減圧膨張される。第１固定絞り１５にて減圧された低圧冷媒は、室外熱交換器１９へ流入して、送風ファン２０から送風された外気から吸熱して蒸発する。熱交換して放熱する。
【０１４６】
室外熱交換器１９から流出した冷媒は、アキュムレータ２４に流入し、当該アキュムレータ２４にて気液分離される。そして、アキュムレータ２４にて分離された気相冷媒が、圧縮機１１に吸入されて再び圧縮される。
【０１４７】
一方、冷却水循環回路４０では、冷却水ポンプ４１から圧送された冷却水がエンジンＥＧの内部に形成された冷却水通路を流れ、エンジンＥＧと冷却水とが熱交換される。そして、エンジンＥＧの冷却水通路から流出した冷却水は、ラジエータ４３および複合型熱交換器１３の第２熱交換部１３２の双方に流入する。
【０１４８】
ラジエータ４３に流入した冷却水は、送風ファンが停止しているので、外気と熱交換することなく、再び冷却水ポンプ４１に吸入される。また、複合型熱交換器１３の第２熱交換部１３２に流入した冷却水は、吐出冷媒および送風空気の一方または双方と熱交換して、再び冷却水ポンプ４１に吸入される。
【０１４９】
ここで、暖房運転では、外部熱源であるエンジンＥＧの起動初期段階において冷却水温度が第１熱媒体基準温度以下となっている場合に、複合型熱交換器１３へ送風される送風空気の送風量を減少させ、さらに、第２熱交換部１３２に流入する冷却水の流入量を増加させるので、複合型熱交換器１３における吐出冷媒と冷却水との熱交換を積極的に促進させることができる。そして、吐出冷媒の温度が冷却水よりも高い場合には、吐出冷媒の有する熱量をアウターフィン１３４を介して冷却水に放熱して、冷却水を加熱することができる。
【０１５０】
一方、暖房運転では、エンジンＥＧの起動初期段階において冷却水温度が第１熱媒体基準温度より高い温度まで上昇している場合、あるいは、エンジンＥＧの起動初期段階を経過している場合に、複合型熱交換器１３にて吐出冷媒および冷却水が有する熱量を車室内送風空気に放熱して車室内送風空気を所望の温度に加熱することができる。これにより、車室内の暖房を実現することができる。
【０１５１】
以上説明した本実施形態によれば、複合型熱交換器１３における車室内送風空気と圧縮機１１ａから吐出された吐出冷媒との熱交換量、および車室内送風空気と冷却水との熱交換量に加えて、吐出冷媒と冷却水との熱交換量を調整することができ、複数種の流体（吐出冷媒、冷却水、送風空気）間の適切な熱交換を実現することができるので、複数種の流体それぞれの有する熱量を有効に活用することが可能となる。
【０１５２】
また、本実施形態では、暖房運転時に、エンジンＥＧの起動初期段階において冷却水温度が第１熱媒体基準温度以下となっている場合に、複合型熱交換器１３へ送風される送風空気の送風量を減少させると共に、第２熱交換部１３２に流入する冷却水の流入量を増加させることで、複合型熱交換器１３における吐出冷媒と冷却水との熱交換を積極的に促進させることができる。
【０１５３】
これにより、高圧冷媒の温度が冷却水よりも高い場合には、高圧冷媒の有する熱量をアウターフィン１３４を介して冷却水に放熱して、冷却水を加熱することができるので、エンジンＥＧの起動初期段階においてエンジンＥＧの早期暖機を行うことができる。この結果、エンジンＥＧのフリクションロスを低減させることができ、車両燃費等の向上を図ることができる。
【０１５４】
さらに、本実施形態では、第１熱交換部１３１の冷媒用チューブ１３１ａの外表面および第２熱交換部１３２の冷媒用チューブ１３２ａの外表面に、アウターフィン１３４が接合されているので、極めて容易に複合型熱交換器１３にて第１熱交換部１３１を流通する吐出冷媒と、第２熱交換部１３２を流通する冷却水との間の熱移動を可能とすることができる。
【０１５５】
（第２実施形態）
次に、本発明の第２実施形態について図７に基づいて説明する。図７は、本実施形態に係るエアミックスドア３５のサーボモータの制御の概要を示す流れ図である。なお、本実施形態では、第１実施形態と同様または均等な部分についての説明を省略、または簡略化して説明する。
【０１５６】
上述の第１実施形態では、エンジンＥＧの起動初期段階において、複合型熱交換器１３の第２熱交換部１３２に流入する冷却水の温度が第１熱媒体基準温度以下となっている場合に、エアミックスドア３５の開度調整にて複合型熱交換器１３に送風する空気の送風量を減少させるようにしている。
【０１５７】
これに対して、本実施形態では、エンジンＥＧの起動初期段階において、複合型熱交換器１３の第２熱交換部１３２に流入する冷却水の温度が予め定めた第２熱媒体基準温度以下となっている場合に、エアミックスドア３５の開度調整にて複合型熱交換器１３に送風する空気の送風量を増加させ、複合型熱交換器１３を通過した吹出空気の温度が吹出基準温度よりも高い温度にまで上昇した場合に、エアミックスドア３５の開度調整にて複合型熱交換器１３に送風する空気の送風量を徐々に減少させるようにしている。なお、第２熱媒体基準温度は、上述の実施形態における第１熱媒体基準温度と同等の値に限らず、第１熱媒体基準温度と異なる値に設定することができる。
【０１５８】
具体的には、本実施形態の暖房運転時におけるエアミックスドア３５のサーボモータに出力される制御信号については、エアミックスドア３５の開度が目標吹出温度ＴＡＯおよび室内蒸発器２３の吹出空気温度Ｔｅに基づく第１目標開度、および第１目標開度よりも複合型熱交換器１３側の空気通路の開度を増大させた第３目標開度のいずれかとなるように決定される。
【０１５９】
例えば、図７に示すように、エアミックスドア３５のサーボモータに出力される制御信号は、エンジンＥＧの起動初期段階において、冷却水温度が第２熱媒体基準温度以下となっている場合に、エアミックスドア３５の開度が第３目標開度となるように決定される。
【０１６０】
一方、エンジンＥＧの起動初期段階において冷却水温度が第２熱媒体基準温度より高い温度にまで上昇した場合、あるいは、エンジンＥＧの起動初期段階を経過した場合には、エアミックスドア３５の開度が第１目標開度となるようにエアミックスドア３５のサーボモータに出力される制御信号が決定される。
【０１６１】
さらに、複合型熱交換器１３を通過した吹出空気の温度が吹出基準温度よりも高い温度にまで上昇した場合には、エアミックスドア３５の開度が第１目標開度となるようにエアミックスドア３５のサーボモータに出力される制御信号が決定される。なお、図７は、エアミックスドア３５の目標開度を決定する処理の流れを説明するための模式図である。
【０１６２】
これにより、エアミックスドア３５のサーボモータに出力される制御信号が、エアミックスドア３５の開度が第３目標開度となるように決定された場合には、第１目標開度となるように決定された場合に比べて、複合型熱交換器１３へ送風される車室内送風空気の送風量が減少する。逆に、エアミックスドア３５のサーボモータに出力される制御信号が、エアミックスドア３５の開度が第１目標開度となるように決定された場合には、第３目標開度となるように決定された場合に比べて、複合型熱交換器１３へ送風される車室内送風空気の送風量が減少する。
【０１６３】
以上の如く、本実施形態では、暖房運転時に、エンジンＥＧの起動初期段階において、複合型熱交換器１３の第２熱交換部１３２に流入する冷却水温度が第２熱媒体基準温度以下となっている場合に、複合型熱交換器１３へ送風される送風空気の送風量を増加させることで、複合型熱交換器１３における送風空気と吐出冷媒および冷却水との熱交換を積極的に促進させることができる。
【０１６４】
これにより、吐出冷媒の有する熱量を車室内送風空気に放熱して、車室内送風空気を加熱することができるので、エンジンＥＧの起動初期段階において車室内の暖房を早期に行うことができる。
【０１６５】
また、本実施形態では、複合型熱交換器１３を通過した吹出空気の温度が吹出基準温度よりも高い温度にまで上昇した場合、複合型熱交換器１３へ送風される送風空気の送風量を減少させるので、複合型熱交換器１３における吐出冷媒と冷却水との熱交換を積極的に促進させることができる。
【０１６６】
これにより、高圧冷媒の温度が冷却水よりも高い場合には、高圧冷媒の有する熱量を、アウターフィン１３４を介して冷却水に放熱して、冷却水を加熱することができ、エンジンＥＧの暖機を行うことができる。
【０１６７】
なお、本実施形態では、冷却水温度や吹出空気の温度に応じて複合型熱交換器１３へ送風される送風空気の送風量を減少させた際に、冷却水ポンプ４１の電動モータ４１ｂに出力される制御信号を、複合型熱交換器１３の第２熱交換部１３１へ流入する冷却水の流入量が増加するように決定するようにしてもよい。これにより、複合型熱交換器１３における送風空気と吐出冷媒および冷却水との熱交換をより積極的に促進させることができる。
【０１６８】
（第３実施形態）
次に、本発明の第３実施形態について図８に基づいて説明する。図８は、本実施形態に係る圧縮機１１の電動モータ１１ｂの制御の概要を示す流れ図である。なお、本実施形態では、第１、第２実施形態と同様または均等な部分についての説明を省略、または簡略化して説明する。
【０１６９】
上述の各実施形態では、例えば、暖房運転時には、圧縮機１１の電動モータ１１ｂに出力される制御信号を、目標吹出温度ＴＡＯに基づいて算出した目標熱交換器温度に応じて決定するようにしている。
【０１７０】
これに対して、本実施形態では、複合型熱交換器１３の第２熱交換部１３２に流入する冷却水温度が複合型熱交換器１３に向けて送風する送風空気の温度以上となった場合に、複合型熱交換器１３を通過した吹出空気の温度が目標吹出温度ＴＡＯに基づいて算出した目標熱交換器温度となるように圧縮機構１１ａの冷媒吐出能力を変更するようにしている。
【０１７１】
なお、複合型熱交換器１３に向けて送風する送風空気の温度は、内外気切替装置３３にてケーシング３１内に外気を導入する場合には、外気センサの検出値（外気温）となり、ケーシング３１内に内気を導入する場合には、内気センサの検出値（内気温）となる。
【０１７２】
具体的には、圧縮機１１の電動モータ１１ｂに出力される制御信号については、目標吹出温度に基づいて算出した目標熱交換器温度に応じた第１目標回転数（第１目標吐出能力）、および第１目標回転数よりも高い回転数となる第２目標回転数（第２目標吐出能力）のいずれかに決定される。
【０１７３】
例えば、図８に示すように、圧縮機１１の電動モータ１１ｂに出力される制御信号は、複合型熱交換器１３の第２熱交換部１３２に流入する冷却水温度が複合型熱交換器１３に向けて送風する送風空気の温度（送風空気流入温度）以上となった場合に、圧縮機１１の電動モータ１１ｂの回転数が第１目標回転数（第１目標吐出能力）となるように決定される。
【０１７４】
一方、複合型熱交換器１３の第２熱交換部１３２に流入する冷却水温度が複合型熱交換器１３に向けて送風する送風空気の温度より低くなった場合に、圧縮機１１の電動モータ１１ｂの回転数が第２目標回転数（第２目標吐出能力）となるように決定される。
【０１７５】
これにより、圧縮機１１の電動モータ１１ｂに出力される制御信号が電動モータ１１ｂの回転数が第１目標回転数となるように決定された場合には、複合型熱交換器１３の第１熱交換部１３１に流れる吐出冷媒の有する熱を車室内送風空気に放熱して車室内送風空気を加熱することができる。さらに、第２熱交換部１３２に流れる冷却水が有する熱を車室内送風空気に放熱して、車室内送風空気を加熱することが可能となる。つまり、吐出冷媒の有する熱量、および冷却水の有する熱量を、車室内送風空気を加熱するために有効に活用することが可能となる。
【０１７６】
また、圧縮機１１の電動モータ１１ｂに出力される制御信号が電動モータ１１ｂの回転数が第２目標回転数となるように決定された場合には、複合型熱交換器１３の第１熱交換部１３１に流れる吐出冷媒の有する熱を車室内送風空気に放熱して車室内送風空気を加熱して車室内送風空気を加熱することができる。さらに、複合型熱交換器１３の第１熱交換部１３１に流れる吐出冷媒の有する熱を第２熱交換部１３２に流れる冷却水に放熱して、冷却水を加熱することが可能となる。つまり、吐出冷媒の有する熱量を車室内送風空気および冷却水を加熱するために有効に活用することが可能となる。
【０１７７】
（第４実施形態）
次に、本発明の第４実施形態について図９に基づいて説明する。図９は、本実施形態に係る圧縮機１１の電動モータ１１ｂの制御の概要を示す流れ図である。なお、本実施形態では、第１〜第３実施形態と同様または均等な部分についての説明を省略、または簡略化して説明する。
【０１７８】
本実施形態では、複合型熱交換器１３の第２熱交換部１３２に流入する冷却水温度が予め定められた第３熱媒体基準温度以下となった場合に、複合型熱交換器１３を通過した吹出空気の温度が目標吹出温度ＴＡＯに基づいて算出した目標熱交換器温度となるように圧縮機構１１ａの冷媒吐出能力を変更すると共に、複合型熱交換器１３の第２熱交換部１３１へ流入する冷却水の流入量を減少させるようにしている。なお、第３熱媒体基準温度は、上述の実施形態における第１、第２熱媒体基準温度と同等の値に限らず、第１、第２熱媒体基準温度と異なる値に設定することができる。
【０１７９】
具体的には、圧縮機１１の電動モータ１１ｂに出力される制御信号については、目標吹出温度に基づいて算出した目標熱交換器温度に応じた目標回転数に決定される。
【０１８０】
また、冷却水ポンプ４１の電動モータ４１ｂに出力される制御信号については、電動モータ４１ｂの回転数が冷却水温度センサの検出値に応じた第１目標回転数、および第１目標回転数よりも低い回転数となる第３目標回転数のいずれかとなるように決定される。
【０１８１】
例えば、図９に示すように、冷却水ポンプ４１の電動モータ４１ｂに出力される制御信号は、第２熱交換部１３２に流入する冷却水温度が第３熱媒体基準温度以下となった場合に、電動モータ４１ｂの回転数が第３目標回転数となるように決定され、第２熱交換部１３２に流入する冷却水温度が第３熱媒体基準温度より高くなった場合に、電動モータ４１ｂの回転数が第１目標回転数となるように決定される。
【０１８２】
これによれば、複合型熱交換器１３の第２熱交換部１３２に流入する冷却水の温度が第３熱媒体基準温度以下となった場合に、第２熱交換部１３２への冷却水の流入量を減少させると共に、圧縮機構１１の冷媒吐出能力を目標吹出温度に応じて調整することで、複合型熱交換器１３にて吐出冷媒と送風空気との熱交換を積極的に促進させることで、車室内へ送風する空気を所望の温度に調整することが可能となる。
【０１８３】
ここで、本実施形態では、第２熱交換部１３２に流入する冷却水温度が第３熱媒体基準温度以下となった場合に、第２熱交換部１３２への冷却水の流入量が減少するように、冷却水ポンプ４１の電動モータ４１ｂに出力される制御信号を決定しているが、これに限定されない。例えば、第２熱交換部１３２に流入する冷却水温度が第３熱媒体基準温度以下となった場合に、冷却水循環回路４０の開閉弁４２を閉じることで、第２熱交換部１３２への冷却水の流入量が減少させてもよい。
【０１８４】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変形可能である。
【０１８５】
（１）上述の各実施形態で説明したヒートポンプサイクル１０のように、暖房運転時に室外熱交換器１９にて冷媒と外気とを熱交換させて冷媒を蒸発させる冷凍サイクル装置では、室外熱交換器１９における冷媒蒸発温度が着霜温度（具体的には０℃）以下になると、室外熱交換器１９に着霜が生ずる虞がある。このような着霜が生ずると、室外熱交換器１９における外気が流通する外気通路が霜によって閉塞されてしまい、室外熱交換器１９の熱交換能力が著しく低下してしまう。
【０１８６】
ここで、例えば、複合型熱交換器１３の第１熱交換部１３１への圧縮機１１の吐出冷媒の流入量を制限することで、室外熱交換器１９を流通する冷媒の温度を着霜温度以上とすることが考えられる。
【０１８７】
また、室外熱交換器１９を上述の実施形態で説明した複合型熱交換器１３の如く、冷媒と外気とを熱交換させる熱交換部に加えて、外気および冷媒の少なくとも一方とエンジンＥＧとは異なる別熱源（車載バッテリ等）を冷却する熱媒体とを熱交換させる熱交換部を備える熱交換器で構成し、室外熱交換器１９への冷媒の流入量を制限すると共に、別熱源の熱媒体の室外熱交換器１９への流入量を増加させることで、室外熱交換器１９の温度を着霜温度以上とすることが考えられる。
【０１８８】
しかし、いずれにおいても室外熱交換器１９の除霜を行う際には、圧縮機１１の圧縮機構１１ａの冷媒吐出能力が制限されて、複合型熱交換器１３の第１熱交換部１３１に所望の熱量を有する冷媒を流通させることができないことがある。この場合、車室内送風空気の温度を調整するために電気ヒータ等の別の暖房熱源を設けることが考えられるが、車両用空調装置の部品点数の増加によるコスト増大等が懸念される。
【０１８９】
そこで、本実施形態の車両用空調装置では、室外熱交換器１９への除霜時等のように圧縮機構１１ａの冷媒吐出能力が制限される場合には、第２熱交換部１３２への冷却水の流入量を増加させる。これにより、複合型熱交換器１３における冷却水と送風空気との熱交換量を増大させることで、複合型熱交換器１３における冷却水と送風空気との熱交換を積極的に促進させることができ、車室内へ送風する空気を温度調整することができる。つまり、冷却水の有する熱量を車室内へ送風する送風空気を加熱するために有効に活用することができる。
【０１９０】
なお、複合型熱交換器１３の第２熱交換部１３２への冷却水の流入量を増加させる制御は、室外熱交換器１９の除霜時以外にも、複合型熱交換器１３の第１熱交換部１３１に所望の熱量を有する冷媒を流通させることができない場合に適用することができる。
【０１９１】
（２）上述の各実施形態では、外部熱源としてエンジンＥＧを採用する例について説明したが、外部熱源はエンジンＥＧに限定されない。例えば、作動時に発熱を伴う走行用電動モータや車載バッテリ等を外部熱源として採用してもよい。
【０１９２】
例えば、外部熱源として車載バッテリを採用する場合、車載バッテリは充電時に発熱を伴うことから、車載バッテリの充電時に生ずる熱により複合型熱交換器１３の第２熱交換部１３２に流入する熱媒体を昇温させ、昇温した熱媒体の複合型熱交換器１３の第２熱交換部１３２への流入量を増加させるようにしてもよい。この場合、車載バッテリの充電時に生ずる熱量を送風空気の温度調整に有効に活用することができる。
【０１９３】
（３）上述の各実施形態では、冷却水の温度等に応じて、エンジンＥＧの起動初期段階における各制御機器への制御信号を決定するようにしているが、上述のような制御信号の決定は、エンジンＥＧの起動初期段階に限らず、エンジンＥＧの起動初期段階を経過した後に適用してもよい。
【０１９４】
（４）上述の第１実施形態では、暖房運転時において外部熱源であるエンジンＥＧの起動初期段階における冷却水の温度が第１熱媒体基準温度以下となっている場合に、複合型熱交換器１３への車室内送風空気の送風量を減少させると共に、複合型熱交換器１３の第２熱交換部１３２への冷却水の流入量を増加させる例について説明したが、これに限定されない。
【０１９５】
例えば、冷房運転時においても、エンジンＥＧの起動初期段階における冷却水の温度が第１熱媒体基準温度よりも低い場合に、複合型熱交換器１３への車室内送風空気の送風量を減少させると共に、冷却水循環回路４０の開閉弁４２を開いて複合型熱交換器１３の第２熱交換部１３２への冷却水の流入量を増加させるようにしてもよい。
【０１９６】
また、エンジンＥＧの起動初期段階における冷却水の温度が第１熱媒体基準温度よりも低い場合に、少なくとも複合型熱交換器１３への車室内送風空気の送風量を減少させるようにしてもよい。これによっても、複合型熱交換器１３における吐出冷媒と冷却水との熱交換を積極的に促進することができる。
【０１９７】
また、外部熱源であるエンジンＥＧの起動初期段階に限らず、冷却水の温度が第１熱媒体基準温度以下となっている場合に、少なくとも複合型熱交換器１３への車室内送風空気の送風量を減少させるようにしてもよい。
【０１９８】
（５）上述の各実施形態では、エアミックスドア３５を送風量調整手段として機能させる例について説明したが、送風量調整手段を送風機３２の電動モータ３２ｂで構成してもよい。
【０１９９】
（６）上述の各実施形態では、複合型熱交換器１３全域において冷媒用チューブ１３１ａおよび熱媒体用チューブ１３２ａを交互に配置する構成としているが、これに限定されず、複合型熱交換器１３の一部において冷媒用チューブ１３１ａおよび熱媒体用チューブ１３２ａを交互に配置する構成としてもよい。また、複数の冷媒用チューブ１３１ａおよび複数の熱媒体用チューブ１３２ａの一方のうち、少なくとも１つのチューブを、他方のチューブ間に配置するようにしてもよい。
【０２００】
（７）上述の各実施形態では、複合型熱交換器１３の各チューブ１３１ａ、１３２ａを空気流れ方向に２列配置する例について説明したが、これに限定されず、例えば、２列よりも多い複数列配置としてもよい。
【０２０１】
（８）上述の各実施形態では、冷媒として通常のフロン系冷媒を採用した例を説明したが冷媒の種類はこれに限定されない。例えば、二酸化炭素等の自然冷媒や炭化水素系冷媒等を採用してもよい。
【０２０２】
（９）上述の各実施形態で説明した車両用空調装置は、可能な範囲で組み合わせて用いることができる。
【符号の説明】
【０２０３】
１０        ヒートポンプサイクル（冷凍サイクル）
１１ａ      圧縮機構
１１ｂ      電動モータ（冷媒吐出能力変更手段）
１３        複合型熱交換器
１３１      第１熱交換部
１３１ａ    冷媒用チューブ
１３１ｂ    冷媒用ヘッダタンク部（冷媒用タンク部）
１３２      第２熱交換部
１３２ａ    熱媒体用チューブ
１３２ｂ    熱媒体用ヘッダタンク部（熱媒体用タンク部）
１３３      送風空気通路
１３４      アウターフィン
３２ｂ      電動モータ（送風量調整手段）
３５        エアミックスドア（送風量調整手段）
４１ａ      圧送機構（熱媒体圧送手段）
４１ｂ      電動モータ（熱媒体流量調整手段）
４２        開閉弁（熱媒体流量調整手段）
【図１】
0005659925.tif 000002
【図２】
0005659925.tif 000003
【図３】
0005659925.tif 000004
【図４】
0005659925.tif 000005
【図５】
0005659925.tif 000006
【図６】
0005659925.tif 000007
【図７】
0005659925.tif 000008
【図８】
0005659925.tif 000009
【図９】
0005659925.tif 000010